(57)【特許請求の範囲】
【請求項１】
温水を所定温度に保温する給湯機と、該給湯機からの温水を所定圧力に加圧する注入ポンプと、該注入ポンプからの温水を土壌内に潅注する潅注器とを備え、
前記給湯機から供給される温水を、土壌温度が白紋羽病菌の再分離しない３３．７度以上で且つ樹木への影響のない４８度以下になるように設定し、前記潅注器から土壌内に潅注して樹木の根部に付着した白紋羽病菌を死滅させるようにしたことを特徴とする白紋羽罹病樹の治療方法。
【請求項２】
前記注入ポンプは、１平方メートル当たり１００〜２００リットルの温水を１０〜２０ｋｇ／平方センチメートルの圧力で前記潅注器に供給し、該潅注器は、先端に下向きの噴射口を備え、土壌中に挿し込んだ状態で前記注入ポンプからの噴射圧力により温水を土壌内に浸透させることを特徴とする請求項１項に記載の白紋羽罹病樹の治療方法。
【請求項３】
土壌中の温度を検出する温度センサと、該温度センサで検出する土壌中の温度に基づいて前記給湯機を制御するコントローラを備え、
該コントローラで土壌温度が３３．７度以上で４８度以下になるように給湯機を制御することを特徴とする請求項１項に記載の白紋羽罹病樹の治療方法。
【請求項４】
温水を所定温度に保温する給湯機と、該給湯機からの温水を所定圧力に加圧する注入ポンプと、該注入ポンプからの温水を複数の潅注器に分岐する分岐栓とを備え、
前記給湯機から供給される温水を、土壌温度が白紋羽病菌の再分離しない３３．７度以上で且つ樹木への影響のない４８度以下になるように設定し、前記潅注器から土壌内に点滴して樹木の根部に付着した白紋羽病菌を死滅させるようにしたことを特徴とする白紋羽罹病樹の治療方法。
【発明の詳細な説明】
【技術分野】
【０００１】
本発明は、化学薬液を用いることなく罹病した樹木の有害菌を死滅させる果樹園における白紋羽罹病樹の治療方法に関するものである。
【背景技術】
【０００２】
これまでに、白紋羽罹病樹の治療方法として汚染土壌を広範囲で除去し、新たな土壌を入れる土壌の更新や有効な薬剤を土壌に混入させ有害菌を死滅させる手段を採用していた。汚染土壌を更新する手段では枝根に残る有害菌を完全に除去できないため経年と共に有害菌が増殖してくることから恒久的な対策とならない問題があった。また、薬剤の使用では自然界に化学物質を多量に投入されることによる環境負荷が懸念されており薬剤に頼らない治療方法の確立が望まれている。
【０００３】
このような一般的に実施されている方法では、抜本的な解決とならず例えば新たな試みとして特許文献１に見られる技術が提起されている。
【特許文献１】特公昭４８−３４８７０号公報
【発明の開示】
【発明が解決しようとする課題】
【０００４】
前記の特許文献１の土壌消毒方法によっては、次のような問題が提起される。
土壌中に蒸気を噴射させ土壌の所定範囲を６０度に維持させる手段を実施した場合では、周知のように病菌が樹木の枝根に繁殖するために枝根部を高温の蒸気に曝す必要があり、このため枝根の繊維質が破壊され菌を死滅させると共に回復の可能性を持つ果樹をあえて枯死させる危険が高くなった。このため土壌の温度管理が難しく菌の繁殖状態と枝根の活力を見極めた適切な処理が必要であり、誤った判定をすると早い時間で樹木を枯死させる結果となりこれらの問題を解消する対応が必要であった。
【課題を解決するための手段】
【０００５】
上記のような課題を解決するために本発明は、温水を所定温度に保温する給湯機と、該給湯機からの温水を所定圧力に加圧する注入ポンプと、注入ポンプからの温水を土壌内に潅注する潅注器とを備え、給湯機から供給される温水を、土壌温度が白紋羽病菌の再分離しない３３．７度以上で且つ樹木への影響のない４８度以下になるように設定し、潅注器から土壌内に潅注して樹木の根部に付着した白紋羽病菌を死滅させるようにしたものである。注入ポンプは、１平方メートル当たり１００〜２００リットルの温水を１０〜２０ｋｇ／平方センチメートルの圧力で潅注器に供給し、潅注器は、先端に下向きの噴射口を備え、土壌中に挿し込んだ状態で注入ポンプからの噴射圧力により温水を土壌内に浸透させる。また、土壌中の温度を検出する温度センサと、温度センサで検出する土壌中の温度に基づいて給湯機を制御するコントローラを備え、コントローラで土壌温度が３３．７度以上で４８度以下になるように給湯機を制御する。
また、温水を所定温度に保温する給湯機と、該給湯機からの温水を所定圧力に加圧する注入ポンプと、該注入ポンプからの温水を複数の潅注器に分岐する分岐栓とを備え、前記給湯機から供給される温水を、土壌温度が白紋羽病菌の再分離しない３３．７度以上で且つ樹木への影響のない４８度以下になるように設定し、前記潅注器から土壌内に点滴して樹木の根部に付着した白紋羽病菌を死滅させるようにしたものである。
【発明の効果】
【０００６】
本発明の治療方法によれば、罹病した果樹の周囲の土壌を病菌の死滅温度に上昇させることで病菌を死滅させるもので、設定温度になるように温水を土壌内に注入させて治療できることから、作業が簡便であり化学農薬を使用しないことで環境汚染や作物の育成に影響を及ぼすことがなく安全性も高いものとなる。
また、温水を任意の圧力で潅注し、任意の温度に保持させるため病菌の付着した枝根部を十分に加温できる効果を有し、特に土壌温度を検知しながら出湯温度を制御し、土壌温度を３３．７度以上に保持させる事で病菌の死滅と、枝根繊維の破壊を抑えることが可能である。
尚、土壌温度は３３．７度以上とするものであるが、前述したように樹木の根の繊維質の破壊を防止するために可能な限り４８度以下の低い温度粋で使用することで果樹などの樹木の生育への影響を無くすことができる。
【実施例】
【０００７】
本発明の給湯機１は、温水を貯える缶体２と缶体２を加熱するバーナ３を有し、サーモセンサー４とコントローラー５により温度を設定し、所定温度に保持させる。６は缶体２への給水管、７は缶体２からの出湯管、８は排水栓で、長期間にわたり使用しない場合などに缶体内の水を排出させる。９は注入ポンプで、給湯機１から供給される温水を加圧して土壌内に供給するために用いられ、吐出圧力はバルブ１０により任意に調整される。１１は台車で、缶体２・注入ポンプ９他を載置し車輪１２により移動できる。また、台車１１は必要に応じて図示していないエンジンにより駆動力を与えることも容易に構成できる。
【０００８】
１３は注入ポンプ９に接続される潅注器で、可撓性を持つホース１４により連結され、注入ポンプ９からの温水を土壌内に注入させる。また、図２に示すように、潅注器１３の構成としては、中空パイプＰの先端を円錐形状として先端に下向きの噴射口１５ａを開け、周面に適宜間隔を持って横方向への温水の広がりを促進する噴射口１５ｂを複数個設けて土壌内への温水の拡散を容易にしている。１６はストッパー鍔で、中空パイプＰを移動自在に通して、必要に応じてネジ１７により中空パイプＰに固定され、中空パイプＰの土壌内への挿入深さを調節すると共に、該パイプＰの土壌への差込み時に土壌が固い場合の足をかけるステップとして使用される。１８は取っ手である。１９は中空パイプＰの周面に刻んだ目盛りで、土壌内への差込時に深さを測定して温水の注入位置を調整できる。２０は前記のホース１４を接続するカプラーで、開閉弁２１を備えている。尚、前記ホース１４は台車１１に取り付けられたホースリール２２により不使用時に巻き取り保管するようにされる。
【０００９】
２３は温度センサーで、土壌中に挿入される測温パイプ２４内に組み込まれ土壌中の温度を検知してバーナ３のコントローラ５に燃焼制御信号を送り、バーナの燃焼を制御して土壌温度変化を設定値になるように制御するものである。また、この燃焼制御による温度コントロールは、通常の出湯温度を直接制御したい場合はサーモセンサー４の信号により行い、土壌温度に比例した出湯制御を行う場合は温度センサー２３により温度を制御するようにしている。
【００１０】
図３は他の実施例を示しており、２５は分岐栓で、通常は１個の潅注器を接続するが必要に応じて分岐栓を中継させ、同時に複数の潅注器から温水を土壌内に注入させて広範囲の処理を行わせることができる。このときの温水の注入は、比較的弱い圧力で潅注器から滴下させ、徐々に土壌内に浸透させて所定温度に長時間かけて上昇させる。尚、この作業中は放熱による土壌の温度低下を抑えるために保温シートなどで作業場所を覆う事で土壌温度を短時間で上昇させる事が好ましい。
【００１１】
このような治療方法によれば、圃場の罹病した樹木の周辺に装置を移動させて枝根の伸長範囲の土壌中に潅注器１３を挿し込み噴射口１５ａ，１５ｂから温水を噴水させる。このときの温水温度は外気温、土壌温度により異なるが、例えば５０度〜６５度であり、１平方メートルあたり１００から２００リットルの温水を１０〜２０ｋｇ／平方センチメートルの圧力で土壌中に供給する。そして、この温水は順次土壌中に浸透し放熱されながら温度が低下し土壌温度が加温と放熱のバランスの取れた３３．７度以上で４８度以下の温度で飽和し土壌温度を所定時間保持する。
【００１２】
図４に示す実験結果によれば、温湯による菌の再分離率を見ると４０度では５分で白紋羽病菌は再分離されないことが確認できた。次に図５において土壌温度による再分離率を見ると白紋羽病菌を土壌に埋没し土壌温度の変化毎に観察すると、湿度６５パーセントの土壌で３０．０度では８時間置いても９６．７パーセントとほとんど実効が無かった。次に３３．７度の温度に３時間置いた場合１００．０パーセントの再分離率で菌糸の伸長度は７０パーセントと若干の実効が認められ、土壌温度３３．７度で５時間置くと再分離率は３３．３パーセントで菌糸の伸長度は６．７パーセントと激減し、同温度で８時間置くと再分離率・伸長度とも０パーセントとなり有効と判定される。また、温度による樹木への影響は図６の実験結果のとおり、４８度に４時間曝すと軽度の葉枯れ・落葉が観察されたが許容範囲内であり無視できると判定されることから４８度以下に土壌温度を抑えれば良いと立証された。
【００１３】
白紋羽病菌は、果樹の樹齢により異なるが地表から浅い、酸素が十分に供給される土壌に繁殖する。このため、本実施例による給湯機１から任意に設定される温度で供給される温水を、任意に設定される圧力で注入ポンプ９により土壌内に潅注して白紋羽病菌を死滅させること、つまり、５０〜６５度に設定した温水を、１平方メートル当たり１００〜２００リットル・１０〜２０ｋｇ／平方センチメートルの圧力で潅注して、土壌温度を菌糸の再分離しない下限の３３．７度以上でかつ果樹への影響を事実上無視できる４８度以下に保持させるようによれば白紋羽菌の死滅による治療効果は容易に期待できる。
【図面の簡単な説明】
【００１４】
【図１】本発明の方法を実施するための構成を示す説明図である。
【図２】潅注器１３の構成を示す説明図である。
【図３】別の実施例を示す説明図である。
【図４】白紋羽病菌の温度による再分離率を測定したデータである。
【図５】白紋羽病菌の土中温度による再分離率を測定したデータである。
【図６】土中温度による果樹へ影響を示すデータである。
【符号の説明】
【００１５】
１  給湯機
２  缶体
３  バーナ
４  サーモセンサー
７  出湯管
９  注入ポンプ
１３  潅注器
１４  ホース
１５ａ  １５ｂ  噴射口
２３  温度センサ
２５  分岐栓
【図１】
0004641929.tif 000002
【図２】
0004641929.tif 000003
【図３】
0004641929.tif 000004
【図４】
0004641929.tif 000005
【図５】
0004641929.tif 000006
【図６】
0004641929.tif 000007